【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
燃料から改質ガスを発生させる燃料改質器を内部に収容する凹部を上面に有する基体と、該基体の上面に前記凹部を覆って取着される複数の蓋体と、先端が前記燃料改質器に接合された、前記燃料改質器に前記燃料を供給するための供給管と、先端が前記燃料改質器に接合された、前記改質ガスを排出するための排出管とを具備している燃料改質器収納用容器であって、前記複数の蓋体は前記基体の上面に互いに隙間を有して重なるように取着されていることを特徴とする燃料改質器収納用容器。
【請求項２】
内側の前記蓋体は外側の前記蓋体よりも前記基体の上面の内周側に取着されていることを特徴とする請求項１に記載の燃料改質器収納用容器。
【請求項３】
前記基体は上面と前記凹部の内面または外面との間に複数の段差が形成されており、前記複数の蓋体は、前記基体の上面および前記段差の上面のうちそれぞれ異なる面に取着されていることを特徴とする請求項２記載の燃料改質器収納用容器。
【請求項４】
前記隙間の内圧が１０Ｐａ以下であることを特徴とする請求項１乃至請求項３のいずれかに記載の燃料改質器収納用容器。
【請求項５】
前記隙間の間隔が０.５ｍｍ乃至５ｍｍであることを特徴とする請求項１乃至請求項４のいずれかに記載の燃料改質器収納用容器。
【請求項６】
前記蓋体は、厚みが０．１ｍｍ以上であることを特徴とする請求項１乃至請求項５のいずれかに記載の燃料改質器収納用容器。
【請求項７】
請求項１乃至請求項６のいずれかに記載の燃料改質器収納用容器と、前記凹部に配置された前記燃料改質器と、前記基体の上面に前記凹部を覆って取着された前記蓋体とを具備していることを特徴とする燃料改質装置。
【手続補正２】
【補正対象書類名】明細書
【補正対象項目名】０００８
【補正方法】変更
【補正の内容】
【０００８】
近年、小型の携帯機器へ燃料電池システムを搭載することが提案されている。しかしながら、携帯機器へ燃料電池システムを搭載した場合、燃料改質器で発生する熱が燃料改質器収納用容器へ伝達されて燃料改質器収納用容器の表面の温度が上昇し、その熱によって携帯機器内の他の部品に悪影響を及ぼすおそれがあった。
【手続補正３】
【補正対象書類名】明細書
【補正対象項目名】００１２
【補正方法】変更
【補正の内容】
【００１２】
本発明の燃料改質器収納用容器は、燃料から改質ガスを発生させる燃料改質器を内部に収容する凹部を上面に有する基体と、該基体の上面に前記凹部を覆って取着される複数の蓋体と、先端が前記燃料改質器に接合された、前記燃料改質器に前記燃料を供給するための供給管と、先端が前記燃料改質器に接合された、前記改質ガスを排出するための排出管とを具備している燃料改質器収納用容器であって、前記複数の蓋体は前記基体の上面に互いに隙間を有して重なるように取着されているいことを特徴とする。また、本発明の燃料改質器収納用耀器は、上記構成において好ましくは、内側の前記蓋体は外側の前記蓋体よりも前記基体の上面の内周側に取着されていることを特徴とする。
【手続補正４】
【補正対象書類名】明細書
【補正対象項目名】００１８
【補正方法】変更
【補正の内容】
【００１８】
本発明の燃料改質器収納用容器は、燃料から改質ガスを発生させる燃料改質器を内部に収容する凹部を上面に有する基体と、該基体の上面に凹部を覆って取着される複数の蓋体と、先端が燃料改質器に接合された、燃料改質器に燃料を供給するための供給管と、先端が燃料改質器に接合された、改質ガスを排出するための排出管とを具備している燃料改質器収納用容器であって、複数の蓋体は基体の上面に互いに隙間を有して重なるように取着されていることから、蓋体同士の間に設けた隙間によって熱を効果的に断熱することができ、燃料改質器から蓋体の最外面への熱伝導を大幅に低減できるため、燃料改質器収納用容器の外表面の温度が上昇するのを有効に抑制することが可能となる。その結果、携帯機器内の他の部品に悪影響を及ぼすことを有効に防止できる。
【手続補正５】
【補正対象書類名】明細書
【補正対象項目名】００１９
【補正方法】変更
【補正の内容】
【００１９】
また、供給管および排出管が、燃料改質器を蓋体と凹部の底面との間に浮かして固定する場合には、基体や蓋体の内側に燃料改質器の裏面全体を直接、面接合する必要がなく、燃料改質器の熱が基体や蓋体に伝達されるのを有効に抑制することができる。その結果、燃料改質器を断熱して燃料改質器の温度低下を抑制することができ、燃料改質器を良好に動作させるために必要な温度を保つためのヒーターに大きな電力を供給しつづける必要はなく、発電効率を著しく向上させることができる。
【手続補正６】
【補正対象書類名】明細書
【補正対象項目名】００３０
【補正方法】変更
【補正の内容】
【００３０】
本実施の形態の燃料改質器収納用容器における基体１および蓋体４は、ともに燃料改質器９を収納する容器としての役割を有する。それらは、例えばＦｅ合金，無酸素銅、ＳＵＳ等の金属材料や、酸化アルミニウム（Ａｌ２Ｏ３）質焼結体，ムライト（３Ａｌ２Ｏ３・２ＳｉＯ２）質焼結体，炭化珪素（ＳｉＣ）質焼結体，窒化アルミニウム（ＡｌＮ）質焼結体，窒化珪素（Ｓｉ３Ｎ４）質焼結体，ガラスセラミックス等のセラミック材料形成されている。
【手続補正７】
【補正対象書類名】明細書
【補正対象項目名】００３７
【補正方法】変更
【補正の内容】
【００３７】
本実施の形態の燃料改質器収納用容器における蓋体４は基体１の上面に複数のものが互いに隙間を有して重なるように取着されており、内側の蓋体４は外側の蓋体４よりも基体１の内周側に取着されている。これにより、隙間によって熱を効果的に断熱することができ、燃料改質器９から蓋体４の最外面への熱伝導を大幅に低減できるため、燃料改質器収納用容器１１の外表面の温度が上昇するのを有効に抑制することが可能となる。その結果、携帯機器内の他の部品に悪影響を及ぼすことを有効に防止できる。
【手続補正８】
【補正対象書類名】明細書
【補正対象項目名】００４７
【補正方法】変更
【補正の内容】
【００４７】
次に、本実施の形態の燃料改質器収納用容器におけるリード端子２は、基体１および蓋体４の熱膨張係数と同一または近似した金属が用いられるのがよく、例えば、Ｆｅ−Ｎｉ合金，Ｆｅ−Ｎｉ−Ｃｏ合金よりなるものが、実用時の温度変化に対して熱歪の発生を防止できる。その上、リード端子２と基体１との良好な封着性が得られるとともに、ボンディング性に優れ、実装時に必要な強度と良好なはんだ付性や溶接性を確保できる。
【手続補正９】
【補正対象書類名】明細書
【補正対象項目名】００４８
【補正方法】変更
【補正の内容】
【００４８】
また、本実施の形態の燃料改質器収納用容器における絶縁封止材８は、例えば、硼珪酸ガラス，アルカリガラス，鉛を主成分とする絶縁ガラス等から成り、基体１に形成された貫通孔でこの絶縁封止材８によって基体１とリード端子２とが電気的に絶縁されてリード端子２が封止固定されている。基体１に形成されたリード端子２が挿通される貫通孔は、基体１とリード端子２とが接触して電気的に導通することがない大きさが必要であり、具体的にはリード端子２から基体１までの間隔が０．１ｍｍ以上確保できる内径が好ましい。
【手続補正１０】
【補正対象書類名】明細書
【補正対象項目名】００５１
【補正方法】変更
【補正の内容】
【００５１】
また、本実施の形態の燃料改質器収納用容器１１に収納される燃料改質器９は、微小ケミカルデバイスとして、半導体製造技術を適用して、例えば、シリコン等の半導体，石英，ガラス，セラミックス等の無機材料の基材に、切削法，エッチング法，ブラスト法等により細い溝を形成することによって液体流路が作製され、操作中の液体の蒸発防止等を目的として、ガラス板等のカバーを陽極接合、ロウ付け等により表面に密着させて作製される。